(57)【要約】      （修正有）【課題】ユーザー端末を利用して情報を提供しても、情報の不正な取得及び閲覧を防止することができる情報提供システムを提供する。【解決手段】情報提供システムは、ユーザー端末４に情報蓄積サーバー２へのアクセス権を発行するアクセス権発行装置として機能するレジスターと、店舗内のユーザー端末４に向けて確認信号を所定の間隔で送信する発信器８とを備える。ユーザー端末４は、アクセス権の範囲で情報蓄積サーバー２にアクセスして、情報蓄積サーバー２から雑誌データを受信する情報取得部４４１と、情報蓄積サーバー２から受信した情報を表示する情報表示部４４２と、確認信号が所定の間隔で受信されている場合、情報取得部４４１及び情報表示部４４２の動作を許可し、確認信号の受信が途絶えた場合、情報取得部４４１及び情報表示部４４２の動作を不許可とする位置確認部４４４とを備える。【選択図】図２
2019109582.tif 000002
【特許請求の範囲】
【請求項１】
情報蓄積サーバーに蓄積されている情報をユーザー端末に提供する情報提供システムであって、
前記ユーザー端末に前記情報蓄積サーバーへのアクセス権を発行するアクセス権発行装置と、
店舗内の前記ユーザー端末に向けて確認信号を所定の間隔で送信する発信器とを具備し、
前記ユーザー端末は、
前記アクセス権の範囲で前記情報蓄積サーバーにアクセスして、前記情報蓄積サーバーから情報を受信する情報取得部と、
前記情報蓄積サーバーから受信した情報を表示する情報表示部と、
前記確認信号が所定の間隔で受信されている場合、前記情報取得部及び前記情報表示部の動作を許可し、前記確認信号の受信が途絶えた場合、前記情報取得部及び前記情報表示部の動作を不許可とする位置確認部と、を具備することを特徴とする情報提供システム。
【請求項２】
前記ユーザー端末には、前記ユーザー端末を前記情報取得部、前記情報表示部及び前記位置確認部として機能させる閲覧アプリケーションプログラムがインストールされていることを特徴とする特徴とする請求項１記載の情報提供システム。
【請求項３】
印刷機能を有する画像形成装置と、
前記ユーザー端末に印刷権を発行する印刷権発行装置と、を具備し、
前記ユーザー端末は、
前記画像形成装置に前記印刷権の範囲で前記情報蓄積サーバーから受信した情報の印刷を実行させる印刷実行部を具備することを特徴とする請求項１又は２記載の情報提供システム。
【請求項４】
前記情報表示部は、表示制限がかけられている部分は非表示とし、
前記印刷実行部は、表示制限がかけられている部分も印刷させることを特徴とする請求項３記載の情報提供システム。
【発明の詳細な説明】
【技術分野】
【０００１】
本発明は、店舗においてユーザーに情報を提供する情報提供システムに関する。
【背景技術】
【０００２】
書店等の店舗において、電子立ち読み書籍ビュアーを用意することで、立ち読み感覚で書籍や雑誌の内容を確認可能にする技術が提案されている（例えば、特許文献１参照）。
【先行技術文献】
【特許文献】
【０００３】
【特許文献１】特開２００３−６７４６４号公報
【発明の概要】
【発明が解決しようとする課題】
【０００４】
しかしながら、従来技術では、購入する書籍や雑誌の内容は、ＰＤＡ（Personal Digital Assistant）等のユーザー端末に取り込むことができるが、購入前の書籍や雑誌の閲覧は、専用の電子立ち読み書籍ビュアーで行うことになっている。これは、書籍や雑誌の内容が不正に取得されることを防止するためであると考えられるが、店舗に滞在する想定のユーザー数に対応して専用の電子立ち読み書籍ビュアーを用意しなければならないため、店舗側の投資が大きくなってしまうという問題点があった。
【０００５】
本発明は、上記問題点を鑑みてなされたものであり、その目的とするところは、ユーザー端末を利用して情報を提供しても、情報の不正な取得及び閲覧を防止することができる情報提供システムを提供することを目的とする。
【課題を解決するための手段】
【０００６】
本発明の情報提供システムは、情報蓄積サーバーに蓄積されている情報をユーザー端末に提供する情報提供システムであって、前記ユーザー端末に前記情報蓄積サーバーへのアクセス権を発行するアクセス権発行装置と、店舗内の前記ユーザー端末に向けて確認信号を所定の間隔で送信する発信器とを具備し、前記ユーザー端末は、前記アクセス権の範囲で前記情報蓄積サーバーにアクセスして、前記情報蓄積サーバーから情報を受信する情報取得部と、前記情報蓄積サーバーから受信した情報を表示する情報表示部と、前記確認信号が所定の間隔で受信されている場合、前記情報取得部及び前記情報表示部の動作を許可し、前記確認信号の受信が途絶えた場合、前記情報取得部及び前記情報表示部の動作を不許可とする位置確認部と、を具備することを特徴とする。
【発明の効果】
【０００７】
本発明によれば、ユーザー端末を利用して情報を提供しても、情報の取得及び閲覧が確認信号の受信範囲に制限されるため、情報の不正な取得を防止することができる。
という効果を奏する。
【図面の簡単な説明】
【０００８】
【図１】本発明に係る情報提供システムの実施の形態の概略構成を示すブロック図である。
【図２】図１に示すユーザー端末の概略構成を示すブロック図である
【図３】図１に示す情報蓄積システムの動作を説明する説明図である。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の情報提供システム１は、図１を参照すると、情報蓄積サーバー２に情報として蓄積されている雑誌データをカフェ等の店舗３内に位置するユーザー端末４に提供するシステムである。
【００１１】
情報提供システムは、情報蓄積サーバー２と、ユーザー端末４と、レジスター５と、画像形成装置６と、無線ルーター７と、発信器８とを備えている。
【００１２】
情報蓄積サーバー２は、例えば、雑誌社等の情報提供側が管理しているプログラム制御によって動作する情報処理装置であり、インターネット９に接続されている。情報蓄積サーバー２は、レジスター５によって発行されたアクセス権の範囲で雑誌データをユーザー端末４に送信する。
【００１３】
レジスター５は、現金や電子マネーのＰａｙ機能によって代金の精算・記録を行う金銭登録器であり、店舗３内に敷設されたＬＡＮ（Local Area Network）１０に接続されている。また、レジスター５は、情報蓄積サーバー２へのアクセス権を発行するアクセス権発行装置として機能する。アクセス権は、代金の多寡に応じてアクセス範囲、例えば、期間や、取り扱っている雑誌データの内、アクセスできる雑誌データの数・種類等を決定することもできる。また、レジスター５は、画像形成装置６での印刷権を発行する印刷権発行装置として機能する。印刷権は、代金の多寡に応じて印刷枚数や、モノクロ・カラー等を決定することもできる。なお、アクセス権及び印刷権の発行は、データとしてユーザー端末４に送信しても良く、レシート等の紙媒体で発行するようにしても良い。
【００１４】
画像形成装置６は、複写機や複合機（ＭＦＰ；Multifunction Peripheral）等の印刷機能を備えた装置であり、ＬＡＮ１０に接続されている。画像形成装置６は、レジスター５によって発行された印刷権の範囲で雑誌データを印刷する。
【００１５】
無線ルーター７は、インターネット９とＬＡＮ１０とを接続すると共に、２．４ギガヘルツ（ＧＨｚ）帯の電波を搬送波として、ユーザー端末４をワイヤレスでＬＡＮ１０に接続する無線ＬＡＮ機能を備えている。
【００１６】
発信器８は、店舗３内に位置するユーザー端末４に向けて確認信号を所定の間隔で送信する装置である。発信器８は、例えば、２．４ギガヘルツ（ＧＨｚ）帯や１．９ギガヘルツ（ＧＨｚ）帯の電波を搬送波として確認信号を送信する。
【００１７】
ユーザー端末４は、プログラム制御によって動作するノートブック型のパーソナルコンピュータやＰＤＡ（ＰＤＡ（Personal Digital Assistant））等の情報処理装置である。ユーザー端末４は、図２を参照すると、操作部４１と、無線通信部４２と、記憶部４３と、制御部４４とを備えている。
【００１８】
操作部４１は、タッチパネルや、各種操作キーを備え、表示部及び入力部として機能するユーザーインターフェースである。
【００１９】
無線通信部４２は、無線ルーター７を介してインターネット９及びＬＡＮ１０に接続され、情報蓄積サーバー２、レジスター５及び画像形成装置６と情報通信を行う機能を有する。また、無線通信部４２は、発信器８からの確認信号を受信する機能を有している。
【００２０】
記憶部４３は、半導体メモリー等の記憶装置である。記憶部４３には、閲覧アプリケーションプログラム（以下、閲覧ＡＰＰ）４３１がインストールされていると共に、レジスター５によって発行されるアクセス権４３２及び印刷権４３３と、情報蓄積サーバー２から情報として受信した取得済雑誌データ４３４が記憶される。
【００２１】
制御部４４は、ＣＰＵ（Central Processing Unit）、ＲＯＭ（Read Only Memory）、ＲＡＭ（Random Access Memory）等を備えたマイクロコンピュータ等の情報処理部である。ＲＯＭにはユーザー端末４の動作制御を行うための制御プログラムが記憶されている。制御部４４のＣＰＵは、ＲＯＭに記憶されている制御プログラムを読み出し、制御プログラムをＲＡＭに展開させることで、装置全体の制御を行う。
【００２２】
また、制御部４４は、記憶部４３にインストールされている閲覧ＡＰＰ４３１を起動させることで、情報取得部４４１、情報表示部４４２、印刷実行部４４３、位置確認部４４４として機能する。なお、閲覧ＡＰＰ４３１は、情報蓄積サーバー２にアクセスするための専用アプリケーションである。換言すると、情報蓄積サーバー２は、閲覧ＡＰＰ４３１からのアクセスには、応答しないように設定されている。
【００２３】
情報取得部４４１は、情報蓄積サーバー２に蓄積されている雑誌データの内、記憶部４３に記憶されたアクセス権４３２の範囲で閲覧可能な雑誌データのリストを操作部４１に表示させる。そして、情報取得部４４１は、操作部４１によって取得指示を受け付けた雑誌データを情報蓄積サーバー２から取得し、取得した雑誌データを取得済雑誌データ４３４として記憶部４３に記憶させる。なお、取得済雑誌データ４３４は、閲覧ＡＰＰ４３１のみが表示及び印刷を実行可能であるようにプロテクトされた状態で記憶される。
【００２４】
情報表示部４４２は、操作部４１によって表示指示を受け付けると、取得済雑誌データ４３４を操作部４１に表示させる。なお、雑誌データには、部分的な表示制限が設けることもできる。この場合、情報表示部４４２は、取得済雑誌データ４３４の内、表示制限が設けられている部分を非表示とし、その他の部分を表示させる。
【００２５】
印刷実行部４４３は、操作部４１によって印刷指示を受け付けると、記憶部４３に記憶された印刷権４３３の範囲で、取得済雑誌データ４３４を画像形成装置６によって印刷させる。なお、印刷実行部４４３は、表示制限が設けられている部分的印刷させる。
【００２６】
位置確認部４４４は、発信器８から送信される確認信号に基づいて、ユーザー端末４が店舗３内に位置するか否かを判断する。すなわち、位置確認部４４４は、確認信号が所定の間隔で受信されている場合、ユーザー端末４が店舗３内に位置すると認識し、情報取得部４４１、情報表示部４４２及び印刷実行部４４３の動作を許可する。一方、位置確認部４４４は、確認信号の受信が途絶えた場合、ユーザー端末４が店舗３外に出たと認識し、情報取得部４４１、情報表示部４４２及び印刷実行部４４３の動作を不許可とすると共に、記憶部４３に記憶されているアクセス権４３２、印刷権４３３及び取得済雑誌データ４３４を消去させる。
【００２７】
次に、情報提供システム１の動作について図３を参照して詳細に説明する。
（ａ）ユーザーが店舗３で商品を購入し、レジスター５によって代金を清算する。なお、ここでは、商品の購入のみを確定させ、代金の実際の清算は、後で行っても良い。
【００２８】
（ｂ）レジスター５は、商品の購入を受け付けると、商品の種類や代金の多寡に応じたアクセス権４３２及び印刷権４３３を発行する。アクセス権４３２及び印刷権４３３は、データとしてユーザー端末４に送信しても良く、レシート等の紙媒体で発行するようにしても良い。アクセス権４３２及び印刷権４３３を紙媒体で発行する場合、アクセス権４３２及び印刷権４３３は、紙媒体にパスワードやバーコードとして表示され、ユーザー端末４でパスワードやバーコードを取り込むことで、記憶部４３に記憶させる。また、アクセス権４３２及び印刷権４３３は、商品の購入に付随して発行するのではなく、アクセス権４３２及び印刷権４３３を商品として販売しても良い。
【００２９】
（ｃ）ユーザーは、ユーザー端末４で閲覧ＡＰＰ４３１を起動させ、制御部４４を情報取得部４４１、情報表示部４４２、印刷実行部４４３及び位置確認部４４４として機能させる。なお、閲覧ＡＰＰ４３１の起動は、いつのタイミングでも良い。
【００３０】
（ｄ）位置確認部４４４は、発信器８から所定の間隔で送信される確認信号の受信を確認すると、情報取得部４４１、情報表示部４４２及び印刷実行部４４３の動作を許可する。すなわち、ユーザー端末４が店舗３内に位置し、発信器８からの確認信号を受信可能である場合に、情報取得部４４１、情報表示部４４２及び印刷実行部４４３の動作が許可される。
【００３１】
（ｅ）情報取得部４４１は、アクセス権４３２の範囲で情報蓄積サーバー２にアクセスし、閲覧可能な雑誌データのリストを操作部４１に表示させる。
【００３２】
（ｆ）情報取得部４４１は、操作部４１によって取得指示を受け付けた雑誌データを情報蓄積サーバー２から取得し、取得した雑誌データを取得済雑誌データ４３４として記憶部４３に記憶させる。
【００３３】
（ｇ）情報表示部４４２は、操作部４１によって表示指示を受け付けると、取得済雑誌データ４３４を操作部４１に表示させる。これにより、店舗３内にいるユーザーは、情報蓄積サーバー２から情報として提供される雑誌データを悪銭県の範囲で閲覧することが可能になる。
【００３４】
（ｈ）印刷実行部４４３は、操作部４１によって印刷指示を受け付けると、記憶部４３に記憶された印刷権４３３の範囲で、取得済雑誌データ４３４を画像形成装置６によって印刷させる。店舗３内にいるユーザーは、情報蓄積サーバー２から情報として提供される雑誌データを印刷権の範囲で印刷することが可能になる。なお、取得済雑誌データ４３４の内、表示制限が設けられている部分を印刷では表記させることで、画像形成装置６の利用が促進される。
【００３５】
（ｉ）位置確認部４４４は、発信器８からの確認信号の受信が途絶えた場合、ユーザー端末４が店舗３外に出たと認識し、情報取得部４４１、情報表示部４４２及び印刷実行部４４３の動作を許可すると共に、記憶部４３に記憶されているアクセス権４３２、印刷権４３３及び取得済雑誌データ４３４を消去させる。これにより、情報蓄積サーバー２から情報として提供される雑誌データの閲覧や印刷が店舗３内に制限される。
【００３６】
以上説明したように、本実施の形態によれば、情報蓄積サーバー２に蓄積されている雑誌データをユーザー端末４に提供する情報提供システム１であって、ユーザー端末４に情報蓄積サーバー２へのアクセス権を発行するアクセス権発行装置として機能するレジスター５と、店舗３内のユーザー端末４に向けて確認信号を所定の間隔で送信する発信器８とを備え、ユーザー端末４は、アクセス権の範囲で情報蓄積サーバー２にアクセスして、情報蓄積サーバー２から雑誌データを受信する情報取得部４４１と、情報蓄積サーバー２から受信した情報を表示する情報表示部４４２と、確認信号が所定の間隔で受信されている場合、情報取得部４４１及び情報表示部４４２の動作を許可し、確認信号の受信が途絶えた場合、情報取得部４４１及び情報表示部４４２の動作を不許可とする位置確認部４４４とを備えることを特徴とする。
この構成により、ユーザー端末４を利用して雑誌データを提供しても、雑誌データの取得及び閲覧がアクセス権及び確認信号の受信範囲に制限されるため、雑誌データの不正な取得を防止することができる。
【００３７】
さらに、本実施の形態において、ユーザー端末４には、ユーザー端末４を情報取得部４４１、情報表示部４４２及び位置確認部４４４として機能させる閲覧ＡＰＰ４３１がインストールされている。
この構成により、専用のユーザー端末４を設けることなく、汎用のユーザー端末４に閲覧ＡＰＰ４３１をインストールするだけで情報提供システム１を構成することができる。
【００３８】
さらに、本実施の形態において、印刷機能を有する画像形成装置６と、ユーザー端末４に印刷権を発行する印刷権発行装置として機能するレジスター５とを備え、ユーザー端末４は、画像形成装置６に印刷権の範囲で情報蓄積サーバー２から受信した雑誌データの印刷を実行させる印刷実行部４４３を備える。
この構成により、ユーザー端末４を利用して雑誌データを提供しても、雑誌データの印刷が印刷権及び確認信号の受信範囲に制限されるため、雑誌データの不正な印刷を防止することができる。
【００３９】
さらに、本実施の形態において、情報表示部４４２は、表示制限がかけられている部分は非表示とし、印刷実行部４４３は、表示制限がかけられている部分も印刷させる。
この構成により、表示制限が設けられている部分を印刷では表記させることができるため、画像形成装置６の利用が促進される。
【００４０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４１】
１  情報提供システム
２  情報蓄積サーバー
３  店舗
４  ユーザー端末
５  レジスター
６  画像形成装置
７  無線ルーター
８  発信器
９  インターネット
１０  ＬＡＮ
４１  操作部
４２  無線通信部
４３  記憶部
４４  制御部
４３１  閲覧ＡＰＰ
４３２  アクセス権
４３３  印刷権
４３４  取得済雑誌データ
４４１  情報取得部
４４２  情報表示部
４４３  印刷実行部
４４４  位置確認部
【図１】
2019109582.tif 000003
【図２】
2019109582.tif 000004
【図３】
2019109582.tif 000005